(57)【要約】      （修正有）【課題】自身の背中面に例えば鎮痛用の消炎剤等を塗布したり、背中を洗ったりするときに、消炎剤用の塗り薬容器、洗浄タオル・洗浄具等を支持し、自身の背中面に宛がうことができる洗浄・塗布補助具を提供する。【解決手段】自身の背中面に先端を宛がうことができる支持棒１と、この支持棒１に取り付けられる支持体１０，２０とから成る。支持体１０，２０は、洗浄具Ｗ、塗り薬容器Ｐ等の被支持物を囲繞する支持ベルト１２，２２を備え、支持ベルト１２，２２は止着手段１３，２３によって洗浄具Ｗ、塗り薬容器Ｐ等を囲繞状態で止着可能にする。支持体１０は、支持棒１に対して回転自在に取り付けて洗浄具支持板１４を設け、止着手段１３，２３は面ファスナーで構成する。【選択図】図１
0003214111.tif 000002
【実用新案登録請求の範囲】
【請求項１】
自身の背中面に先端を宛がうことができる支持棒と、この支持棒に取り付けられる支持体とから成り、支持体は、洗浄具、塗り薬容器の被支持物を囲繞する支持ベルトを備え、支持ベルトは止着手段によって被支持物を囲繞状態で止着可能にしてあることを特徴とする洗浄・塗布補助具。
【請求項２】
支持体は、支持棒に対して回転自在に取り付けられている請求項１に記載の洗浄・塗布補助具。
【請求項３】
止着手段は、面ファスナーである請求項１または２に記載の洗浄・塗布補助具。
【請求項４】
支持体は、塗り薬容器を位置決め収容する収容溝を備えている請求項１乃至３のいずれかに記載の洗浄・塗布補助具。
【請求項５】
支持体には、スティック状の塗り薬が収容されている繰出式塗り薬用器におけるスライド板を押圧する押出手段を設けてあり、この押出手段はスライド板を押し出す頭部付きボルトを備えている請求項１乃至４のいずれかに記載の洗浄・塗布補助具。
【考案の詳細な説明】
【技術分野】
【０００１】
この考案は、自身の背中面に例えば鎮痛用の消炎剤等を塗布したり、背中を洗ったりするときに、消炎剤用の塗り薬容器、洗浄タオル・洗浄具等を支持して自身の背中面にしっかりと宛がうことができるようにしたもので、特に背中面に対して自分で洗浄したり、固形状・液状・粘性状等の塗り薬を塗布したり、更にはマッサージ用に叩いたりできるようにした洗浄・塗布補助具に関する。
【背景技術】
【０００２】
従来から、自身の背中面等の手入れ、例えばかゆみがある場合に?くための孫の手が提供されている。この孫の手は、背中面に配置可能な所定長さを備え、背中面を先端縁によって?くことができるようにほぼＬ字状に折曲させてあることで、自身で背中面を?くことができる。
【０００３】
しかしながら、自身の背中面に例えば鎮痛用の消炎剤等を塗布したり、背中面を洗ったりするには自身の手が届かないから極めて面倒で、困難でもあり、そうだとしても従来の孫の手ではこれに対処できない。
【０００４】
こうした点を解消すべく、例えば特許文献１に示される物品把持手段付き孫の手、特許文献２に示される塗り薬具着脱可能な折畳み式孫の手等が提案されている。特許文献１の孫の手は、伸縮可能にしてある孫の手本体の先端に設けたクリップ式の挟着具である物品把持手段によって、塗り薬具やタオル等を挟み、背中面に宛がうとする。特許文献２の孫の手は、一対のアームによって折り畳み可能に連結して成る折畳み式孫の手とし、一方のアームに、押圧部材とこの押圧部材に対して摺動自在な摺動部材とから塗り薬具を挟持可能にした係止部を設けて成るとする。
【先行技術文献】
【特許文献】
【０００５】
【特許文献１】実用新案登録第２５２００６１号公報
【特許文献２】登録実用新案第３１３９５７７号公報
【考案の概要】
【考案が解決しようとする課題】
【０００６】
ところが従来の特許文献１あるいは特許文献２の孫の手では、挟持される塗り薬具が、液体状の塗り薬を塗布面から滲出させるようになっていればともかく、例えば容器本体の底部がわからスライドさせて順次に操出可能なスティック状の塗り薬である場合では、スティック状塗り薬が患部面に対する押し付けによって後退してしまったり、使用に伴い消耗されても操出が困難であったりして使用勝手が悪いものであった。
【０００７】
また、支持する塗り薬具容器の形状がほぼ一定の大きさであれば、これをクリップ式にあるいはスライド式に挟持することは可能であっても、例えば背中面を洗う場合などで、洗うためのスポンジ状の洗浄具、タオル等はこれらを折り畳んでもやや大きくなってしまうと、挟持するのに手間が掛かることもあり、塗り薬具による塗布以外の用途に使用するには困難であった。
【０００８】
そこでこの考案は叙上のような従来存した諸事情に鑑み案出されたもので、自身の背中面を洗浄したり、あるいは自身の背中面に消炎剤等の塗り薬を塗布したりするとき、洗浄用の洗浄具や塗布用の塗り薬容器等を自身で支持して背中面に宛がうことで容易に洗浄、塗布等ができるようにし、いわゆる孫の手の代用品として簡単、容易に使用できるようにした洗浄・塗布補助具を提供することにある。
【課題を解決するための手段】
【０００９】
上述した課題を解決するため、この考案にあっては、自身の背中面に先端を宛がうことができる支持棒１と、この支持棒１に取り付けられる支持体１０，２０とから成り、支持体１０，２０は、洗浄具Ｗ、塗り薬容器Ｐの被支持物を囲繞する支持ベルト１２，２２を備え、支持ベルト１２，２２は止着手段１３，２３によって被支持物（Ｗ，Ｐ）を囲繞状態で止着可能にしてあることを特徴とする
支持体１０は、支持棒１に対して回転自在に取り付けられていることで構成することができる。
止着手段１３，２３は、面ファスナーで構成することができる。
支持体２０は、塗り薬容器Ｐを位置決め収容する収容溝２４を備えて構成することができる。
支持体２０には、スティック状の塗り薬が収容されている繰出式塗り薬容器Ｐにおけるスライド板Ｐ１を押圧する押出手段２５を設けてあり、この押出手段２５は、支持棒１の端部に設けた支持台２６に、スライド板Ｐ１を押し出すよう進退自在にねじ込まれた頭部付きボルト２７を備えることで構成することができる。
【００１０】
以上のように構成されたこの考案に係る洗浄・塗布補助具にあって、洗浄具Ｗあるいは塗り薬容器Ｐが支持された支持体１０，２０を取り付けた支持棒１を自身の手で背中に回し、宛がうことで洗浄具Ｗによって自身で背中を洗浄でき、また、塗り薬容器Ｐによって例えば消炎剤の如き塗り薬を自身の背中面に塗布させる。
支持棒１に回転自在に取り付けられた支持体１０は、背中面に洗浄具Ｗ、塗り薬容器Ｐを宛がうときの向きを変更させ、背中等の彎曲している被洗浄面、被塗布面にしっくりと宛がわせる。
面ファスナーの止着手段１３，２３は、洗浄具Ｗ、塗り薬容器Ｐ等の大きさ・径等に自在に対応して止着固定時の重ね合わせられる止着長さ等を調整させる。
収容溝２４は、塗り薬容器Ｐを収容させて、支持体２０面で塗り薬容器Ｐを位置決めさせ、塗り薬容器Ｐを支持して塗布するときでの位置ずれ等を防止させる。
押出手段２５は、その支持台２６からの頭部付きボルト２７に対するねじ込み量によってスティック状の塗り薬をスライド板Ｐ１によって塗り薬容器Ｐから所定操出幅員で外出させ、また、背中面に宛がわれ、塗布したときの反力によって後退せず、その外出長さを維持させる。
【考案の効果】
【００１１】
この考案は以上説明したように構成されているため、自身の背中面であっても、例えば薬料を収納している塗り薬容器Ｐや、洗浄具Ｗ等を支持棒１を介して背中面の所定の位置に宛がわせることで、簡単、容易に自身の背中面を洗浄し、塗り薬等を塗布することができる。
【００１２】
すなわち、これはこの考案において、自身の背中面に先端を宛がう支持棒１に支持体１０，２０を取り付けて成り、支持体１０，２０は、洗浄具Ｗ、塗り薬容器Ｐの被支持物を囲繞するよう止着手段１３，２３で止着可能な支持ベルト１２，２２を備えて成るからであり、これによって、洗浄具Ｗによる背中面の洗浄、塗り薬容器Ｐによる背中面に対する塗り薬の塗布等を簡単、容易に行うことができる。
【００１３】
また、支持棒１には支持体１０を回転自在に取り付けてあることで、支持する洗浄具Ｗの背中面に対する向きを、例えば縦向きあるいは横向きに自在に変更でき、例えば背中面の彎曲態様に対応させた向きでこれらをしっくりと宛がわせることができる。
【００１４】
支持体１０の支持ベルト１２には面ファスナーの止着手段１３を設けてあることで、洗浄具Ｗの大きさ、径等の大小にかかわらず、これらに対応して自在に調整させてしっかりと囲繞支持でき、洗浄作業中に洗浄具Ｗを脱落させたり、位置ズレを生じさせたりすることがない。
【００１５】
一方、支持体２０の支持ベルト２２には面ファスナーの止着手段２３を設けてあり、また、塗り薬容器Ｐを位置決め収容する収容溝２４を備えていて、押出手段２５の支持台２６とも相俟って、収容溝２４内に収容した塗り薬容器Ｐが支持ベルト２２によって囲繞止着されるとき、塗り薬容器Ｐの大きさ、径等の大小にかかわらず３点でしっかりと支持固定される。しかも、塗り薬容器Ｐは、支持台２６によってその軸方向での移動が拘束されているため、塗布作業中に塗り薬容器Ｐを脱落させたり、位置ズレを生じさせたりすることがない。
【００１６】
支持体２０には、スティック状の塗り薬を塗り薬容器Ｐから外出させる押出手段２５が設けられているから、支持台２６の外側からの頭部付きボルト２７に対するねじ込み等によって塗り薬を順次に容器外に押し出すことができ、しかも、塗布作業中に塗り薬が容器内に後退するのを阻止した状態でこれを維持することができる。
【００１７】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１８】
【図１】この考案を実施するための一形態を示す一部省略斜視図である。
【図２】同じく洗浄具を９０度回転支持したときの要部斜視図である。
【図３】同じく洗浄具を支持したときの要部断面図である。
【図４】同じく塗り薬容器を支持している他の支持体における要部断面図で、その（Ａ）は大径の塗り薬容器を、（Ｂ）は小径の塗り薬容器を支持した場合である。
【図５】同じく塗り薬容器を支持したときの要部側面図である。
【図６】同じく繰出式の塗り薬容器を支持した操出状態時における要部断面図である。
【図７】同じく背中面に塗り薬を塗布する使用状態の斜視図である。
【考案を実施するための形態】
【００１９】
以下、図面を参照してこの考案を実施するための一形態を説明すると、図において示される符号１は、背中面に塗り薬を塗布するための塗り薬容器Ｐを支持したり、背中を洗浄するための発泡スポンジ樹脂製等の洗浄具Ｗを支持したりするよう、これらの被支持物（Ｗ，Ｐ）を着脱自在に支持する支持体１０，２０を設けた支持棒である。この支持棒１は、図７に示すように塗布者、洗浄者等が自身の手・腕等で自身の背中面に塗り薬を自身で塗布したり、洗浄したりするときの自身の背中面に支持体１０，２０を宛がうことができる程度の長さに設定された例えば所定幅員の角棒材あるいは所定径の丸棒材にて成り、必要があれば伸縮自在としたり、折曲自在としたりして構成されることもある。
【００２０】
支持体１０は、これによって支持した洗浄具Ｗを支持棒１に対して直交する向きにあるいは平行する向きに、少なくとも例えば９０〜１８０度前後の間で回転（揺転）するようにされていたり、あるいは回転しない支持体２０とされたりして支持棒１の先端に取り付けられている。直交する向き、平行する向きのいずれであっても、その向きに回転設定されたとき、その向きが維持されるように例えば支持棒１と支持体１０との当接面相互間に弾性作用で固定あるいは解除できるようにした仮止め手段を配しておく。
【００２１】
図１乃至図３、図７に示された支持体１０は、支持棒１の外側面上で支持棒１に対して回転自在に取り付けられるブロック状の回転支持体１１と、支持される洗浄具Ｗを囲繞支持するよう回転支持体１１に取り付けられた支持ベルト１２と、洗浄具Ｗを囲繞したときの支持ベルト１２の端部相互を着脱自在に止着固定する止着手段１３とを備えて成る。
【００２２】
図示にあって、回転支持体１１は、例えば支持棒１の端部の外側面に回転軸を介して軸止めすることで回転支持体１１を支持棒１に対して回転自在にして取り付けてある。また、支持棒１に対して直交する向きにあるいは平行する向きであるときに、それらの位置が一時的にでも維持されるように所定のクリック手段によって止められるようにしてある。
【００２３】
そして、回転支持体１１自体の例えば側面あるいは端側面に支持ベルト１２が取り付けられていて、この支持ベルト１２は、例えば発泡スポンジ樹脂製の洗浄具Ｗ、折り畳んだ洗浄用のタオル等を囲繞するに十分な長さと幅員とを有し、身体面に当接し、擦られても皮膚等を損傷しない柔軟性を備えたものとしてある。
【００２４】
止着手段１３は、例えば面ファスナーとしてあり、囲繞後に重ね合わせる支持ベルト１２の端部相互の重ね合わせた長さに長短があっても自在に調整できるようにしてある。この重ね合わせられる部位は、回転支持体１１の側部、背部等に位置されるようにしてあって、例えば洗浄具Ｗを囲繞支持して背中面に宛がわれたとき、背中面には触れないように配慮されている。もとより、この止着手段１３は、面ファスナーに限らず、スナップボタン、ボタンホールその他の止着構造を採用できる。
【００２５】
図中符号１４は、平板プレート状の洗浄具支持板であり、回転支持体１１によって例えば洗浄具Ｗを支持するとき、この洗浄具Ｗをその背面から広範囲で支持し、洗浄具Ｗが背中面に宛がわれたときの洗浄具Ｗ等の前面全域が背中面にしっくりと当接することで洗浄具Ｗによる洗浄作用が効率的に行えるように配慮してある。なお、この洗浄具支持板１４自体は、回転支持体１１の前面を大きく拡げてプレート状に形成しておくことで、洗浄具支持板１４自体を省略することも可能である。
【００２６】
もとより、図示を省略したが、この支持体１０によっても塗り薬容器Ｐを支持固定することは可能である。
【００２７】
図１、図４乃至図７に示された支持体２０は、支持棒１の先端面で塗り薬容器Ｐを支持できるように、これらを囲繞巻回できる支持ベルト２２を支持棒１の先端面に固着すると共に、この支持ベルト２２に塗り薬容器Ｐを囲繞巻回後で支持ベルト２２を閉じて固定する止着手段２３を設けて成る。
【００２８】
止着手段２３は、前記止着手段１３と同様にして形成してあって、例えば面ファスナーによって塗り薬容器Ｐをその大小にかかわらず、これらに対応して調整した状態で囲繞支持できるようにしてある。
【００２９】
なお、止着手段２３は、図例を省略したが、例えば支持棒１の先端面に固着した金属製の支持ベルト自体に複数の長孔を適宜間隔で配列形成しておき、支持ベルトに設けたネジ架台に進退自在にねじ込んだネジのオネジ面を前記長孔に噛み合わせるようにして成り、噛み合わせ固定することで囲繞するベルト径の大きさ等を調整固定できるようにすることも可能である。もとより、止着手段２３は、これらに限定されないのは勿論である。
【００３０】
また、支持体２０では、支持棒１の先端面に例えば断面でＶ字状となっている収容溝２４を、この収容溝２４の両側方向から前記支持ベルト２２が収容溝２４を覆うことができるようにして形成してあり、この収容溝２４内に塗り薬容器Ｐが収容され、囲繞されるようにしてある。断面でＶ字状であることによって、塗り薬容器Ｐが図４（Ａ）に示すように大径であっても、図４（Ｂ）に示すように小径であっても、いずれも収容溝２４から外れることなく、しっかりと囲繞固定することができる。
【００３１】
また、支持棒１には、スティック状の塗り薬を押出可能に収納してある塗り薬容器Ｐの押出手段２５を設けてあり、例えば図例のように、支持棒１の先端に突出配置した支持台２６にこの支持台２６の外側から進退自在にしたねじ込んだ頭部付きボルト２７から成る。図６に示すように、スティック状の塗り薬を収納してある塗り薬容器Ｐを支持ベルト２２によって囲繞支持しておいて、押出手段２５における頭部付きボルト２７の先端を、塗り薬容器Ｐの底部であるスライド板Ｐ１に宛てがい、頭部付きボルト２７のねじ込みによって塗り薬を押し出し、容器の開口部外方に外出させるようにしている。この押出手段２５自体は、塗り薬が繰り出されることがない塗り薬容器Ｐであれば、取り外しておくことは可能であるのは勿論である。
【００３２】
更に図示例にあっては、例えば頭部付きボルト２７の頭部にマッサージボール２８が取り付けられており、このマッサージボール２８は、身体面を軽く打撃できるように例えば適度な硬度を備えたゴム、軟弾性合成樹脂、硬質性合成樹脂その他の適宜素材によって例えば球状に形成されている。なお、このマッサージボール２８の表面に塗り薬を塗布することで、マッサージボール２８によって例えば背中面に塗り薬を転写塗布することも可能である。また、マッサージボール２８自体は、塗り薬が塗布されるとき、この塗布された塗り薬が払拭され、洗浄可能にされることは好ましい。
【００３３】
もとより、図示を省略したが、この支持体２０によっても洗浄具Ｗを支持固定することは可能である。
【００３４】
そして、図１、図７に示すように、支持棒１における端部の一方には支持体１０を、他方には支持体２０を配しておくことができ、こうすることで、例えば洗浄具Ｗと塗り薬容器Ｐのいずれかを支持固定して選択的に使用できるようにすることも可能である。もとより、これらのいずれか一方の支持体１０，２０のみを設けたり、いずれか一方の支持体１０，２０を着脱自在に取り外し可能にしたりすることも可能である。
【符号の説明】
【００３５】
Ｐ…塗り薬容器
Ｐ１…スライド板
Ｗ…洗浄具
１…支持棒
１０…支持体
１１…回転支持体
１２…支持ベルト
１３…止着手段
１４…洗浄具支持板
２０…支持体
２２…支持ベルト
２３…止着手段
２４…収容溝
２５…押出手段
２６…支持台
２７…頭部付きボルト
２８…マッサージボール
【図１】
0003214111.tif 000003
【図２】
0003214111.tif 000004
【図３】
0003214111.tif 000005
【図４】
0003214111.tif 000006
【図５】
0003214111.tif 000007
【図６】
0003214111.tif 000008
【図７】
0003214111.tif 000009
【手続補正書】
【提出日】平成29年10月12日(2017.10.12)
【手続補正１】
【補正対象書類名】明細書
【補正対象項目名】０００２
【補正方法】変更
【補正の内容】
【０００２】
従来から、自身の背中面等の手入れ、例えばかゆみがある場合に▲か▼くための孫の手が提供されている。この孫の手は、背中面に配置可能な所定長さを備え、背中面を先端縁によって▲か▼くことができるようにほぼＬ字状に折曲させてあることで、自身で背中面を▲か▼くことができる。